(57)【要約】【課題】消費電力の増加を生じることなく情報の再生再開時の高速化を行う。【解決手段】情報が記憶された記憶媒体である例えば光磁気ディスク１がスピンドルモータ２で回転駆動される。そして光学ヘッド３によって光磁気ディスク１からの反射光が検出され、この検出信号がサーボ回路４に供給されてサーボが行われる。さらに再生動作時には、光磁気ディスク１から検出された検出信号から情報が読み出され、この内の再生ＲＦ信号はデコーダ６で変調等のデコード処理が行われ、メモリコントローラ９によって、ＭＲＡＭ等の不揮発性メモリ８のバッファメモリ領域に書き込まれる。さらに書き込まれたデータは、メモリコントローラ９によって、コーデックデコーダ１０に転送され、転送されたデータが展開され、再生信号処理を施されて出力デジタル信号が形成される。この形成された出力デジタル信号は、Ｄ／Ａコンバータ１３に転送されて再生が行われる。【選択図】        図１
2004265534.tif 000002
【特許請求の範囲】
【請求項１】
ディスク状の記録媒体を用いる情報処理装置であって、
前記記録媒体からの情報の取り出し手段と情報処理手段との間にバッファメモリを有し、
前記バッファメモリに不揮発性メモリを用いると共に、
前記情報処理装置が動作中は、前記バッファメモリは前記記録媒体から読み出された情報の一部または全部を記憶し、
前記情報処理装置が停止するときは、前記バッファメモリは次回に処理される所定量の情報を記憶したまま前記バッファメモリへの電源供給が停止されるようになし、
前記情報処理装置が再度動作するときは、前記バッファメモリが記憶する前記次回に処理される所定量の情報から処理を行う
ことを特徴とする情報処理装置。
【請求項２】
請求項１記載の情報処理装置において、
前記情報処理装置は復帰処理モードと先頭処理モードを有し、前記２つの処理モードは使用者により設定可能である
ことを特徴とする情報処理装置。
【請求項３】
請求項２記載の情報処理装置において、
前記情報処理装置が前記復帰処理モードであるときは、前記次回に処理される所定量の情報は、前記停止前に最後に処理された情報と連続する
ことを特徴とする情報処理装置。
【請求項４】
請求項２記載の情報処理装置において、
前記情報処理装置が前記先頭処理モードであるときは、前記次回に処理される所定量の情報は、前記記録媒体の任意の位置に記録された情報である
ことを特徴とする情報処理装置。
【請求項５】
請求項１記載の情報処理装置において、
前記停止中に前記記録媒体が交換されたときは、前記情報処理装置が再度動作するときに、前記バッファメモリが記憶する前記次回に処理される所定量の情報から処理を行わないようになす
ことを特徴とする情報処理装置。
【請求項６】
請求項１、または請求項２、または請求項３、または請求項４、または請求項５のいずれかに記載の情報処理装置において、
前記不揮発性メモリには、高速かつ、待機時の電源消費がない不揮発性メモリを用いる
ことを特徴とする情報処理装置。
【請求項７】
請求項１、または請求項２、または請求項３、または請求項４、または請求項５のいずれかに記載の情報処理装置において、
前記不揮発性メモリはマグネティック・ランダム・アクセス・メモリである
ことを特徴とする情報処理装置。
【請求項８】
ディスク状の記録媒体を用いる情報再生装置であって、
前記記録媒体からの情報の取り出し手段と情報処理手段との間にバッファメモリを有し、
前記バッファメモリに不揮発性メモリを用いると共に、
前記情報再生装置が動作中は、前記バッファメモリは前記記録媒体から読み出された情報の一部または全部を記憶し、
前記情報再生装置が停止するときは、前記バッファメモリは次回に処理される所定量の情報を記憶したまま前記バッファメモリへの電源供給が停止されるようになし、
前記情報再生装置が再度動作するときは、前記バッファメモリが記憶する前記次回に処理される所定量の情報から処理を行う
ことを特徴とする情報再生装置。
【請求項９】
請求項８記載の情報再生装置において、
前記情報再生装置は復帰処理モードと先頭処理モードを有し、前記２つの処理モードは使用者により設定可能である
ことを特徴とする情報再生装置。
【請求項１０】
請求項９記載の情報再生装置において、
前記情報再生装置が前記復帰処理モードであるときは、前記次回に処理される所定量の情報は、前記停止前に最後に処理された情報と連続する
ことを特徴とする情報再生装置。
【請求項１１】
請求項９記載の情報再生装置において、
前記情報再生装置が前記先頭処理モードであるときは、前記次回に処理される所定量の情報は、前記記録媒体の任意の位置に記録された情報である
ことを特徴とする情報再生装置。
【請求項１２】
請求項８記載の情報再生装置において、
前記停止中に前記記録媒体が交換されたときは、前記情報再生装置が再度動作するときに、前記バッファメモリが記憶する前記次回に処理される所定量の情報から処理を行わないようになす
ことを特徴とする情報再生装置。
【請求項１３】
請求項８、または請求項９、または請求項１０、または請求項１１、または請求項１２のいずれかに記載の情報再生装置において、
前記不揮発性メモリには、高速かつ、待機時の電源消費がない不揮発性メモリを用いる
ことを特徴とする情報再生装置。
【請求項１４】
請求項８、または請求項９、または請求項１０、または請求項１１、または請求項１２のいずれかに記載の情報再生装置において、
前記不揮発性メモリはマグネティック・ランダム・アクセス・メモリである
ことを特徴とする情報再生装置。
【請求項１５】
ディスク状の記録媒体を用いる情報処理方法であって、
前記記録媒体からの情報の取り出し手段と情報処理手段との間にバッファメモリを有し、
前記バッファメモリに不揮発性メモリを用いると共に、
情報処理装置が動作中は、前記バッファメモリは前記記録媒体から読み出された情報の一部または全部を記憶し、
前記情報処理装置が停止するときは、前記バッファメモリは次回に処理される所定量の情報を記憶したまま前記バッファメモリへの電源供給が停止されるようになし、
前記情報処理装置が再度動作するときは、前記バッファメモリが記憶する前記次回に処理される所定量の情報から処理を行う
ことを特徴とする情報処理方法。
【請求項１６】
請求項１５記載の情報処理方法において、
前記情報処理装置は復帰処理モードと先頭処理モードを有し、前記２つの処理モードは使用者により設定可能である
ことを特徴とする情報処理方法。
【請求項１７】
請求項１６記載の情報処理方法において、
前記情報処理装置が前記復帰処理モードであるときは、前記次回に処理される所定量の情報は、前記停止前に最後に処理された情報と連続する
ことを特徴とする情報処理方法。
【請求項１８】
請求項１６記載の情報処理方法において、
前記情報処理装置が前記先頭処理モードであるときは、前記次回に処理される所定量の情報は、前記記録媒体の任意の位置に記録された情報である
ことを特徴とする情報処理方法。
【請求項１９】
請求項１５記載の情報処理方法において、
前記停止中に前記記録媒体が交換されたときは、前記情報処理装置が再度動作するときに、前記バッファメモリが記憶する前記次回に処理される所定量の情報から処理を行わないようになす
ことを特徴とする情報処理方法。
【請求項２０】
請求項１５、または請求項１６、または請求項１７、または請求項１８、または請求項１９のいずれかに記載の情報処理方法において、
前記不揮発性メモリには、高速かつ、待機時の電源消費がない不揮発性メモリを用いる
ことを特徴とする情報処理方法。
【請求項２１】
請求項１５、または請求項１６、または請求項１７、または請求項１８、または請求項１９のいずれかに記載の情報処理方法において、
前記不揮発性メモリはマグネティック・ランダム・アクセス・メモリである
ことを特徴とする情報処理方法。
【請求項２２】
ディスク状の記録媒体を用いる情報再生方法であって、
前記記録媒体からの情報の取り出し手段と情報処理手段との間にバッファメモリを有し、
前記バッファメモリに不揮発性メモリを用いると共に、
情報再生装置が動作中は、前記バッファメモリは前記記録媒体から読み出された情報の一部または全部を記憶し、
前記情報再生装置が停止するときは、前記バッファメモリは次回に処理される所定量の情報を記憶したまま前記バッファメモリへの電源供給が停止されるようになし、
前記情報再生装置が再度動作するときは、前記バッファメモリが記憶する前記次回に処理される所定量の情報から処理を行う
ことを特徴とする情報再生方法。
【請求項２３】
請求項２２記載の情報再生方法において、
前記情報再生装置は復帰処理モードと先頭処理モードを有し、前記２つの処理モードは使用者により設定可能である
ことを特徴とする情報再生方法。
【請求項２４】
請求項２３記載の情報再生方法において、
前記情報再生装置が前記復帰処理モードであるときは、前記次回に処理される所定量の情報は、前記停止前に最後に処理された情報と連続する
ことを特徴とする情報再生方法。
【請求項２５】
請求項２３記載の情報再生方法において、
前記情報再生装置が前記先頭処理モードであるときは、前記次回に処理される所定量の情報は、前記記録媒体の任意の位置に記録された情報である
ことを特徴とする情報再生方法。
【請求項２６】
請求項２２記載の情報再生方法において、
前記停止中に前記記録媒体が交換されたときは、前記情報再生装置が再度動作するときに、前記バッファメモリが記憶する前記次回に処理される所定量の情報から処理を行わないようになす
ことを特徴とする情報再生方法。
【請求項２７】
請求項２２、または請求項２３、または請求項２４、または請求項２５、または請求項２６のいずれかに記載の情報再生方法において、
前記不揮発性メモリには、高速かつ、待機時の電源消費がない不揮発性メモリを用いる
ことを特徴とする情報再生方法。
【請求項２８】
請求項２２、または請求項２３、または請求項２４、または請求項２５、または請求項２６のいずれかに記載の情報再生方法において、
前記不揮発性メモリはマグネティック・ランダム・アクセス・メモリである
ことを特徴とする情報再生方法。
【発明の詳細な説明】
【０００１】
【発明の属する技術分野】
本発明は、例えばＣＤ（Ｃｏｍｐａｃｔ  Ｄｉｓｃ）、ＭＤ（Ｍｉｎｉ  Ｄｉｓｃ）、ＤＶＤ（Ｄｉｇｉｔａｌ  Ｖｅｒｓａｔｉｌｅ  Ｄｉｓｋ）等を用いた再生装置、あるいはＨＤＤ（Ｈａｒｄ  Ｄｉｓｋ  Ｄｒｉｖｅ）装置等に使用して好適な情報処理装置、情報再生装置、情報処理方法及び情報再生方法に関する。詳しくは、停止後の再開を迅速に行うと共に、消費電力を低減することができるようにしたものである。
【０００２】
【従来の技術】
例えばＤＶＤ（Ｄｉｇｉｔａｌ  Ｖｅｒｓａｔｉｌｅ  Ｄｉｓｋ）の再生装置において、再生の再開を迅速に行う目的で、ＥＥＰＲＯＭなどの不揮発性メモリにディスク種類識別情報を登録し、再度の電源投入時には、ディスクを読み取るのではなく、不揮発性メモリからそれに登録されているディスク種類識別情報を読み取る。また、ディスクが排出されたときは、不揮発性メモリからディスク種類識別情報を消去することが行われている（例えば、特許文献１参照。）。
【０００３】
しかしながら、例えば特許文献１に開示された技術では、情報の再生を行うには最終的にディスクの駆動を行わなければならず、結局、急速なディスク駆動の立ち上げが必要とされるものである。そしてこのようなディスク駆動の急速な立ち上げは、通常の使用時以上に多大な電力が必要とされ、消費電力の増大を招いてしまうものである。
【０００４】
一方、マグネティック・ランダム・アクセス・メモリ（以下、ＭＲＡＭと略称する）が開発されている。このＭＲＡＭは、例えばＴＭＲ素子を用いて、いわゆるＤＲＡＭと同等のアクセス速度を有すると共に、不揮発性メモリである特徴を有するものである（例えば、非特許文献１参照。）。なお、このような不揮発性メモリには、他にＦｅＲＡＭ（Ｆｅｒｒｏｅｌｅｃｔｒｉｃ  ＲＡＭ）、ＲＲＡＭ（Ｒｅｓｉｓｔａｎｃｅ  ＲＡＭ）、ＯＵＭ（Ｏｖｏｎｉｃ  Ｕｎｉｆｉｅｄ  Ｍｅｍｏｒｙ）、ＰＭＣ（Ｐｒｏｇｒａｍｍａｂｌｅ  Ｍｅｔａｌｌｉｚａｔｉｏｎ
Ｃｅｌｌ）なども開発されている。
【０００５】
【特許文献１】
特開２００１−２５６７１６号公報
【非特許文献１】
大石基之著「Ｃｏｖｅｒ  Ｓｔｏｒｙ特集  ＭＲＡＭ、２５６Ｍへの確信」日経ＢＰ出版、日経エレクトロニクス２００３年１月２０日号、ｐ．８３−１０５
【０００６】
【発明が解決しようとする課題】
ＣＤ、ＭＤ、ＤＶＤ、ＨＤＤ等を用いたディスク再生装置においては、ディスクの回転が安定するまでの時間やヘッドの移動時間などの初期化に時間がかかるため、電源停止からの再生開始を高速に行うことができない。また、ディスクの回転を急速に立ち上げた場合には、特に多大な電力消費の生じることが報告されている。
【０００７】
これに対して、再生再開時の高速化を行うための従来技術としては、例えば停止時においてもディスクの回転を停止しないという手法が知られている。しかしながらこの方法では、停止時でも装置への電源供給を止めることができないために、装置の低消費電力化を実現することができないものである。
【０００８】
この出願はこのような点に鑑みて成されたものであって、解決しようとする問題点は、従来の装置及び方法では、再生再開時の高速化を行おうとすると、装置の低消費電力化を実現することができなかったというものである。
【０００９】
【課題を解決するための手段】
このため本発明においては、停止時に設定された位置から所定量の情報を不揮発性メモリのバッファメモリに記憶して電源の供給を停止し、次回の情報処理を行う際には電源の投入後にバッファメモリに記憶された情報から処理を行うようにしたものであって、これによれば、消費電力の増加を生じることなく情報の処理または再生再開時の高速化を行うことができる。
【００１０】
【発明の実施の形態】
すなわち本発明は、ディスク状の記録媒体を用いる情報処理装置であって、記録媒体からの情報の取り出し手段と情報処理手段との間にバッファメモリを有し、バッファメモリに不揮発性メモリを用いると共に、情報処理装置が動作中は、バッファメモリは記録媒体から読み出された情報の一部または全部を記憶し、情報処理装置が停止するときは、バッファメモリは次回に処理される所定量の情報を記憶したままバッファメモリへの電源供給が停止されるようになし、情報処理装置が再度動作するときは、バッファメモリが記憶する次回に処理される所定量の情報から処理を行うものである。
【００１１】
また、本発明は、ディスク状の記録媒体を用いる情報再生装置であって、記録媒体からの情報の取り出し手段と情報処理手段との間にバッファメモリを有し、バッファメモリに不揮発性メモリを用いると共に、情報再生装置が動作中は、バッファメモリは記録媒体から読み出された情報の一部または全部を記憶し、情報再生装置が停止するときは、バッファメモリは次回に処理される所定量の情報を記憶したままバッファメモリへの電源供給が停止されるようになし、情報再生装置が再度動作するときは、バッファメモリが記憶する次回に処理される所定量の情報から処理を行うものである。
【００１２】
さらに本発明は、ディスク状の記録媒体を用いる情報処理方法であって、記録媒体からの情報の取り出し手段と情報処理手段との間にバッファメモリを有し、バッファメモリに不揮発性メモリを用いると共に、情報処理装置が動作中は、バッファメモリは記録媒体から読み出された情報の一部または全部を記憶し、情報処理装置が停止するときは、バッファメモリは次回に処理される所定量の情報を記憶したままバッファメモリへの電源供給が停止されるようになし、情報処理装置が再度動作するときは、バッファメモリが記憶する次回に処理される所定量の情報から処理を行うものである。
【００１３】
また、本発明はディスク状の記録媒体を用いる情報再生方法であって、記録媒体からの情報の取り出し手段と情報処理手段との間にバッファメモリを有し、バッファメモリに不揮発性メモリを用いると共に、情報再生装置が動作中は、バッファメモリは記録媒体から読み出された情報の一部または全部を記憶し、情報再生装置が停止するときは、バッファメモリは次回に処理される所定量の情報を記憶したままバッファメモリへの電源供給が停止されるようになし、情報再生装置が再度動作するときは、バッファメモリが記憶する次回に処理される所定量の情報から処理を行うものである。
【００１４】
以下、図面を参照して本発明を説明するに、図１は本発明を適用した情報再生装置の一実施形態の構成を示すブロック図である。なお、図１においては、記憶媒体として光磁気ディスク  （ＭＤ）  を用いた音声再生装置を説明する。
【００１５】
ただし、以下の説明で、音声再生装置は一例であり、本発明は、映像・画像その他の再生装置に応用可能である。また、記録媒体に光磁気ディスクを用いたことも一例であり、本発明は、ＣＤ、ＤＶＤ、ＨＤＤ等その他のディスク再生装置に応用可能である。さらにバッファメモリとしてＭＲＡＭを用いたことも一例であり、本発明は、フラッシュメモリ、ＦｅＲＡＭ、バッテリバックアップＳＲＡＭ等その他の不揮発性メモリを用いても実現可能である。
【００１６】
図１において、情報が記憶された記憶媒体である例えば光磁気ディスク１が設けられる。この光磁気ディスク１はスピンドルモータ２で回転駆動される。さらにこの光磁気ディスク１の記録面に対向して光学ヘッド３が設けられ、この光学ヘッド３から光磁気ディスク１に対してレーザ光が照射される。そして光学ヘッド３によって光磁気ディスク１からの反射光が検出され、この検出信号がＲＦアンプ５を通じてサーボ回路４に供給されて、スピンドルモータ２及び光学ヘッド３に対する駆動、トラッキング、フォーカス等のサーボが行われる。
【００１７】
さらに再生動作時には、光学ヘッド３によって光磁気ディスク１の反射光から検出された検出信号から情報が読み出される。すなわち反射光から検出された検出信号はＲＦアンプ５に供給され、ＲＦアンプ５に供給された情報は演算処理が行われて、各種情報が取り出される。この取り出された情報のうち、再生ＲＦ信号はデコーダ６で変調等のデコード処理が行われ、メモリコントローラ９によって、ＭＲＡＭ等の不揮発性メモリ８のバッファメモリ領域に書き込まれる。
【００１８】
また、使用者からの操作入力が供給される操作部１２が設けられる。この操作部１２からの操作信号がシステムコントローラ７に供給され、供給された操作信号に従って所望の情報を取り出すように、スピンドルモータ２及び光学ヘッド３に対する駆動、トラッキングの制御等を行うための指示信号が、システムコントローラ７からサーボ回路４に対して供給される。また、光学ヘッド３やＲＦアンプ５、デコーダ６、メモリコントローラ９等に対しても駆動の制御が行われる。さらに操作の内容等を示す表示信号が表示部１１に供給される。
【００１９】
さらに不揮発性メモリ８のバッファメモリ領域に書き込まれたデータは、メモリコントローラ９によって、コーデックデコーダ１０に転送される。このコーデックデコーダ１０では、転送されたデータが展開され、再生信号処理を施されて出力デジタル信号が形成される。この形成された出力デジタル信号は、Ｄ／Ａコンバータ１３に転送され、アナログ信号に変換されて再生が行われる。そしてこの変換されたアナログ再生信号が、出力端子１４に取り出される。
【００２０】
次に、図２には、不揮発性メモリ８に書き込まれるデータ領域の構成を示す。ここで不揮発性メモリ８には、バッファメモリ領域２０１と、バッファ管理情報メモリ領域２０２が設けられ、さらにバッファ管理情報メモリ領域２０２には、リードポインタ２０３と、ライトポインタ２０４と、ディスクの次回読み出し位置情報２０５と、バッファ使用可能判別フラグ２０６が設けられる。
【００２１】
そしてまず、デコーダ６から不揮発性メモリ８のバッファメモリ領域２０１への書き込みは、例えば１４．１Ｍｂｉｔ／ｓｅｃ．で行われる。このとき、バッファメモリ領域２０１への書き込みが行われると、不揮発性メモリ８のバッファ管理情報メモリ領域２０２のライトポインタ２０４はインクリメントされる。
【００２２】
また、バッファメモリ領域２０１からコーデックデコーダ１０へのデータの読み出しは、例えば０．３Ｍｂｉｔ／ｓｅｃ．で行われる。このとき、バッファメモリ領域２０１からの読み出しに対応して、不揮発性メモリ８のバッファ管理情報メモリ領域２０２のリードポインタ２０３はインクリメントされる。
【００２３】
従ってこの書き込みと読み出しの速度の差異により、不揮発性メモリ８のバッファメモリ領域２０１にはある程度データが蓄積された状態になる。さらにバッファメモリ領域２０１にデータがフル容量で蓄積された時点で、光学ヘッド３からのデータの読み出しは停止される。ただし、バッファメモリ領域２０１からのデータの読み出しは継続して行われているため再生音声出力がとぎれることはない。
【００２４】
その後、不揮発性メモリ８のバッファメモリ領域２０１から読み出し動作が継続されていく。そしてある時点で、バッファメモリ領域２０１のデータ蓄積量が所定以下となったとすると、再び光学ヘッド３によるデータ読み出し動作、及びバッファメモリ領域２０１への書き込み動作が再開され、不揮発性メモリ８へのデータ蓄積が行われる。
【００２５】
このように、不揮発性メモリ８のバッファメモリ領域２０１を介して、再生音声信号を出力することにより、例えば外乱等でトラッキングが外れた場合などでも、再生音声が中断されることなく、データ蓄積が残っているうちに例えば正しいトラッキング位置にアクセスしてデータ読み出しを再開することで、再生出力に影響を与えずに動作を継続できる。すなわちこのような処理を行うことによって、耐震機能を著しく向上することができる。
【００２６】
なお、不揮発性メモリ８のバッファメモリ領域２０１はリングバッファとして構成されており、ライトポインタ２０４が終端アドレスを越えると、次の書き込みは先頭アドレスになる。また、ライトポインタ２０４がリードポインタ２０３を越えることは無い。ここでライトポインタ２０４がリードポインタ２０３にもっとも近づいたときが、データがフル容量で蓄積された状態であり、その差が一度の書き込みによって書き込まれる量を下回ったとき、前記のようにディスク１からのバッファメモリ領域２０１への書き込みは停止される。
【００２７】
ところで再生装置においては、停止後、次に再生行うときの振る舞いとして、以下の二つの方式がある。
▲１▼再生を前回停止した位置から開始、または前回再生を停止した数フレーム前から再生するモード。このモードをここでは復帰再生モードと呼ぶ。
▲２▼ディスクの、あるいは前回再生中であった曲の先頭から開始するモード。このモードをここでは先頭再生モードと呼ぶ。
これらのモードは利用者により設定可能である。
【００２８】
次に、図３〜図５のフローチャートを参照して、各モードでの動作について説明する。そこで、まず図３を参照して停止処理を説明する。ここで停止動作は利用者の操作によって起こるものである。すなわち、再生動作時に利用者が停止操作を行うと、操作部１２よりシステムコントローラ７に停止命令が発行される。停止命令を受けるとシステムコントローラ７は停止処理を開始する。
【００２９】
すなわち図３のステップ〔３０１〕では、停止後、次に再生行うときの動作が先頭再生モードであるか否か判断される。そして先頭再生モードであるとき（ＹＥＳ）は、ステップ〔３０２〕で次回再生予定のデータのディスク１上の位置が調べられる。さらにステップ〔３０３〕で、ディスク１から不揮発性メモリ８のバッファメモリ領域２０１へのデータの読み出しが所定量行われる。
【００３０】
また、ステップ〔３０４〕で、不揮発性メモリ８のバッファ管理情報メモリ領域２０２のディスクの次回読み出し位置情報２０５に次回ディスクの読み出し位置をセットする。そしてステップ〔３０５〕で、不揮発性メモリ８のバッファ管理情報メモリ領域２０２のバッファ使用可能判別フラグ２０６がｔｒｕｅにセットされる。
【００３１】
すなわち、再生動作時に利用者が停止操作を行うと、操作部１２よりシステムコントローラ７に停止命令が発行される。停止命令を受けるとシステムコントローラ７は、ただちに不揮発性メモリ８からのデータの読み出し、光学ヘッド３からのデータの読み出し、デコーダ６からの不揮発性メモリ８への書き込みを停止する。
【００３２】
そして、不揮発性メモリ８のバッファメモリ領域２０１への書き込みが終了したデータの次のディスク１のアドレスを、不揮発性メモリ８のバッファ管理情報メモリ領域２０２のディスクの次回読み出し位置情報２０５に書く。このとき、上述の停止後、次に再生行うときの振る舞いとして復帰再生モードが指定されているときは、バッファ使用可能判断フラグ２０６をｔｒｕｅにセットし、各ブロックへの電源の供給を止め、システムを停止状態とする。
【００３３】
一方、次に再生行うときの振る舞いとして先頭再生モードが指定されているときは、ディスクの論理的な先頭の曲のデータをディスク１より読み出し、不揮発性メモリ８のバッファメモリ領域２０１の先頭アドレスから書き込みを行う。このとき不揮発性メモリ８のバッファ管理情報メモリ領域２０２のライトポインタ２０４は書き込みに応じてインクリメントされる。
【００３４】
この動作を、所定の量のデータが不揮発性メモリ８のバッファメモリ領域２０１に蓄積されるまで行う。そして蓄積データが所定の量に達すると、ディスク１からのデータの読み込み、デコーダ６からの不揮発性メモリ８への書き込みを停止し、不揮発性メモリ８のバッファ管理情報メモリ領域２０２のリードポインタ２０３を先頭アドレスにする。
【００３５】
さらに不揮発性メモリ８のバッファメモリ領域２０１への書き込みが終了したデータの次のディスク１のアドレスを不揮発性メモリ８のバッファ管理情報メモリ領域２０２のディスクの次回読み出し位置情報２０５に書く。また、バッファ使用可能判別フラグ２０６をｔｒｕｅにセットする。その後、各ブロックへの電源の供給を止め、システムを停止状態にする。
【００３６】
次に、図４を参照してディスク１が抜かれたときの処理を説明する。すなわちこの処理は、上述のシステムの停止状態においてディスク１の交換等が行われたときに実行されるものであり、例えばディスク１のイジェクト時や、再生開始の初期にディスク１から直接読み出されるＩＤコード等が前回のものと不一致のときなどに実行されるものである。
【００３７】
そしてこの図４のフローチャートにおいては、ステップ〔４０１〕で、不揮発性メモリ８のバッファ管理情報メモリ領域２０２のバッファ使用可能判別フラグ２０６がｆａｌｓｅにセットされる。これにより、利用者によるディスク１の交換が発生すると、不揮発性メモリ８のバッファ管理情報領域２０２のバッファ使用可能判別フラグ２０６がｆａｌｓｅにセットされる。
【００３８】
さらに、図５のフローチャートを参照して再生処理を説明する。すなわち図５において、まずステップ〔５０１〕で、不揮発性メモリ８のバッファ管理情報メモリ領域２０２のバッファ使用可能判別フラグ２０６がｔｒｕｅにセットされているか否か判断される。
【００３９】
そしてステップ〔５０１〕でバッファ使用可能判別フラグ２０６がｔｒｕｅにセットされているとき（ＹＥＳ）は、ステップ〔５０２〕で不揮発性メモリ８のバッファメモリ領域２０１の内容の再生が開始され、ステップ〔５０３〕でディスク１から不揮発性メモリ８のバッファメモリ領域２０１へのデータの読み出しが行われる。さらに、ステップ〔５０４〕でデータの終了または利用者による再生中止か否か判断され、ＮＯのときはステップ〔５０２〕に戻される。
【００４０】
これに対して、上述のステップ〔５０１〕でバッファ使用可能判別フラグ２０６がｔｒｕｅにセットされていないとき（ＮＯ）は、ステップ〔５０５〕で、先にディスク１から不揮発性メモリ８のバッファメモリ領域２０１へのデータの読み出しが行われ、以降はステップ〔５０２〕〜〔５０４〕が繰り返し実行される。また、ステップ〔５０４〕でＹＥＳのときは動作が終了される。
【００４１】
これにより、利用者がふたたび再生操作を行うと、操作部１２よりシステムコントローラ７に再生命令が発行される。再生命令を受けるとシステムコントローラ７は、不揮発性メモリの８バッファ管理情報領域２０２のバッファ使用可能判別フラグ２０６を読む。そしてこのフラグがｔｒｕｅであれば、リードポインタ２０３が示すバッファメモリ領域２０１のアドレスよりデータを読み出し、コーデックデコーダ１０に転送し、ただちに音声再生を開始する。
【００４２】
また、ディスクの次回読み出し位置情報２０５より、ディスク１からデータを読み出し、ライトポインタ２０４が示すバッファメモリ領域２０１へデータを書き込む。さらに、リードポインタ２０３が示すバッファメモリ領域２０１のアドレスよりデータを読み出し、コーデックデコーダ１０に転送し、音声再生が継続される。
【００４３】
一方、バッファ使用可能判別フラグ２０６がｆａｌｓｅであった場合は，バッファメモリ領域２０１のデータをただちに再生せず、ディスク１からのバッファメモリ領域２０１へのデータの読み出しを開始する。従って利用者によるディスク１の交換が発生した場合には、次回再生動作時において、バッファメモリ領域２０１のデータを再生することはない。
【００４４】
従ってこの実施形態において、停止時に設定された位置から所定量の情報を不揮発性メモリのバッファメモリに記憶して電源の供給を停止し、次回の情報処理を行う際には電源の投入後にバッファメモリに記憶された情報から処理を行うようにしたことによって、消費電力の増加を生じることなく情報の処理または再生再開時の高速化を行うことができる。
【００４５】
これによって、従来の装置及び方法では、再生再開時の高速化を行おうとすると、装置の低消費電力化を実現することができなかったものを、本発明によればこれらの問題点を容易に解消することができるものである。
【００４６】
なお、上述の説明では、停止時のみ、ディスクの次回の読み出し位置情報とバッファ使用可能判別フラグをｔｒｕｅへ書き換えるとしたが、この他の手段として、例えばディスクから不揮発性メモリへの書き込みを行うごとに、次回の読み出し位置情報とバッファ使用可能判別フラグをｔｒｕｅへ書き換えるという手段でも実現可能である。これによれば、不慮の事故等による再生中断に対しても、次回の再生を迅速に行うことができ、良好な事故対策を実施することができる。
【００４７】
すなわち、上述のディスク再生装置においては、再生停止後の次回再生時にディスクアクセスを行うことなく再生を行うことができ、再生動作を高速化することができる。また、復帰再生モード、および先頭再生モードのどちらのモードでも再生開始を高速化できる。さらに不揮発性メモリにＭＲＡＭ等のメモリの内容の保存に電力を消費しないものを使った場合には、停止時の電力消費が無く、かつ次回再生時に高速に再生を再開できるものである。
【００４８】
また、不揮発性メモリにバッテリバックアップ等のメモリの内容の保存に電力を多少消費するものを使った場合でも、停止時の電力消費は少なく、かつ次回再生時，高速に再生を再開できる。さらに、耐震等の目的によりバッファメモリを用いた従来のディスク再生装置と親和性がよい。
【００４９】
なお、本発明に適用されるＭＤ、ＣＤ、ＤＶＤ、ＨＤＤと、主なフォーマットのビットレートを以下に示す。ただし、各ビットレートはｂｉｔ／ｓｅｃでおおよその値を記述したものであり、単位のＭは、１，０００，０００、または１，０４８，５７６で、どちらと解釈しても構わない程度のおおよその値である。また、ディスク読み出し速度は、ディスク・コントローラ等の実装に依存するものであり、この限りではなく参考程度のものである。
【００５０】
2004265534.tif 000003
【００５１】
2004265534.tif 000004
【００５２】
2004265534.tif 000005
【００５３】
2004265534.tif 000006
【００５４】
これに対して、上述の非特許文献１のＰ．９１の表１によれば、例えばＭＲＡＭのランダムアクセス周波数は、７５Ｍ〜１２５ＭＨｚが得られるものであり、上述のディスクのほとんどの用途において、読み出しデータの記録に対応させることができるものである。
【００５５】
こうして上述の情報処理装置によれば、記録媒体からの情報の取り出し手段と情報処理手段との間にバッファメモリを有し、バッファメモリに不揮発性メモリを用いると共に、情報処理装置が動作中は、バッファメモリは記録媒体から読み出された情報の一部または全部を記憶し、情報処理装置が停止するときは、バッファメモリは次回に処理される所定量の情報を記憶したままバッファメモリへの電源供給が停止されるようになし、情報処理装置が再度動作するときは、バッファメモリが記憶する次回に処理される所定量の情報から処理を行うことにより、消費電力の増加を生じることなく処理再開時の高速化を行うことができるものである。
【００５６】
また、上述の情報再生装置によれば、記録媒体からの情報の取り出し手段と情報処理手段との間にバッファメモリを有し、バッファメモリに不揮発性メモリを用いると共に、情報再生装置が動作中は、バッファメモリは記録媒体から読み出された情報の一部または全部を記憶し、情報再生装置が停止するときは、バッファメモリは次回に処理される所定量の情報を記憶したままバッファメモリへの電源供給が停止されるようになし、情報再生装置が再度動作するときは、バッファメモリが記憶する次回に処理される所定量の情報から処理を行うことにより、消費電力の増加を生じることなく再生再開時の高速化を行うことができるものである。
【００５７】
さらに上述の情報処理方法によれば、記録媒体からの情報の取り出し手段と情報処理手段との間にバッファメモリを有し、バッファメモリに不揮発性メモリを用いると共に、情報処理装置が動作中は、バッファメモリは記録媒体から読み出された情報の一部または全部を記憶し、情報処理装置が停止するときは、バッファメモリは次回に処理される所定量の情報を記憶したままバッファメモリへの電源供給が停止されるようになし、情報処理装置が再度動作するときは、バッファメモリが記憶する次回に処理される所定量の情報から処理を行うことにより、消費電力の増加を生じることなく処理再開時の高速化を行うことができるものである。
【００５８】
また、上述の情報再生方法によれば、記録媒体からの情報の取り出し手段と情報処理手段との間にバッファメモリを有し、バッファメモリに不揮発性メモリを用いると共に、情報再生装置が動作中は、バッファメモリは記録媒体から読み出された情報の一部または全部を記憶し、情報再生装置が停止するときは、バッファメモリは次回に処理される所定量の情報を記憶したままバッファメモリへの電源供給が停止されるようになし、情報再生装置が再度動作するときは、バッファメモリが記憶する次回に処理される所定量の情報から処理を行うことにより、消費電力の増加を生じることなく再生再開時の高速化を行うことができるものである。
【００５９】
なお、本発明は、映像・画像その他の再生装置に応用可能である。また、記録媒体に光磁気ディスクを用いたことも一例であり、本発明は、ＣＤ、ＤＶＤ、ＨＤＤ等その他のディスク再生装置に応用可能である。さらにバッファメモリとしてＭＲＡＭを用いたことも一例であり、本発明は、フラッシュメモリ、ＦｅＲＡＭ、バッテリバックアップＳＲＡＭ等その他の不揮発性メモリを用いても実現可能とされるものである。
【００６０】
さらに、本発明は、上述の説明した実施の形態に限定されるものではなく、本発明の精神を逸脱することなく種々の変形が可能とされるものである。
【００６１】
【発明の効果】
従って請求項１の発明によれば、停止時に設定された位置から所定量の情報を不揮発性メモリのバッファメモリに記憶して電源の供給を停止し、次回の情報処理を行う際には電源の投入後にバッファメモリに記憶された情報から処理を行うようにしたことによって、消費電力の増加を生じることなく情報の処理再開時の高速化を行うことができるものである。
【００６２】
また、請求項２の発明によれば、情報処理装置は復帰処理モードと先頭処理モードを有し、２つの処理モードは使用者により設定可能であることによって、使用者の設定により所望の処理再開を行うことができるものである。
【００６３】
また、請求項３の発明によれば、情報処理装置が復帰処理モードであるときは、次回に処理される所定量の情報は、停止前に最後に処理された情報と連続することによって、復帰処理モードでの情報の処理再開時の高速化を行うことができるものである。
【００６４】
また、請求項４の発明によれば、情報処理装置が復帰処理モードであるときは、次回に処理される所定量の情報は、停止前に最後に処理された情報と連続することによって、復帰処理モードでの情報の処理再開時の高速化を行うことができるものである。
【００６５】
また、請求項５の発明によれば、停止中に記録媒体が交換されたときは、情報処理装置が再度動作するときに、バッファメモリが記憶する次回に処理される所定量の情報から処理を行わないようになすことによって、誤った情報の再生が行われることのないようにしたものである。
【００６６】
また、請求項６の発明によれば、不揮発性メモリには、高速かつ、待機時の電源消費がない不揮発性メモリを用いることによって、良好な処理が行われるようにするものである。
【００６７】
また、請求項７の発明によれば、不揮発性メモリはマグネティック・ランダム・アクセス・メモリであることによって、本発明を実現可能とするものである。
【００６８】
さらに請求項８の発明によれば、停止時に設定された位置から所定量の情報を不揮発性メモリのバッファメモリに記憶して電源の供給を停止し、次回の情報処理を行う際には電源の投入後にバッファメモリに記憶された情報から処理を行うようにしたことによって、消費電力の増加を生じることなく情報の再生再開時の高速化を行うことができるものである。
【００６９】
また、請求項９の発明によれば、情報処理装置は復帰処理モードと先頭処理モードを有し、２つの処理モードは使用者により設定可能であることによって、使用者の設定により所望の処理再開を行うことができるものである。
【００７０】
また、請求項１０の発明によれば、情報処理装置が復帰処理モードであるときは、次回に処理される所定量の情報は、停止前に最後に処理された情報と連続することによって、復帰処理モードでの情報の処理再開時の高速化を行うことができるものである。
【００７１】
また、請求項１１の発明によれば、情報処理装置が先頭処理モードであるときは、次回に処理される所定量の情報は、記録媒体の任意の位置に記録された情報であることによって、先頭処理モードでの情報の処理再開時の高速化を行うことができるものである。
【００７２】
また、請求項１２の発明によれば、停止中に記録媒体が交換されたときは、情報処理装置が再度動作するときに、バッファメモリが記憶する次回に処理される所定量の情報から処理を行わないようになすことによって、誤った情報の再生が行われることのないようにしたものである。
【００７３】
また、請求項１３の発明によれば、不揮発性メモリには、高速かつ、待機時の電源消費がない不揮発性メモリを用いることによって、良好な処理が行われるようにするものである。
【００７４】
また、請求項１４の発明によれば、不揮発性メモリはマグネティック・ランダム・アクセス・メモリであることによって、本発明を実現可能とするものである。
【００７５】
従って請求項１５の発明によれば、停止時に設定された位置から所定量の情報を不揮発性メモリのバッファメモリに記憶して電源の供給を停止し、次回の情報処理を行う際には電源の投入後にバッファメモリに記憶された情報から処理を行うようにしたことによって、消費電力の増加を生じることなく情報の処理再開時の高速化を行うことができるものである。
【００７６】
また、請求項１６の発明によれば、情報処理装置は復帰処理モードと先頭処理モードを有し、２つの処理モードは使用者により設定可能であることによって、使用者の設定により所望の処理再開を行うことができるものである。
【００７７】
また、請求項１７の発明によれば、情報処理装置が復帰処理モードであるときは、次回に処理される所定量の情報は、停止前に最後に処理された情報と連続することによって、復帰処理モードでの情報の処理再開時の高速化を行うことができるものである。
【００７８】
また、請求項１８の発明によれば、情報処理装置が復帰処理モードであるときは、次回に処理される所定量の情報は、停止前に最後に処理された情報と連続することによって、復帰処理モードでの情報の処理再開時の高速化を行うことができるものである。
【００７９】
また、請求項１９の発明によれば、停止中に記録媒体が交換されたときは、情報処理装置が再度動作するときに、バッファメモリが記憶する次回に処理される所定量の情報から処理を行わないようになすことによって、誤った情報の再生が行われることのないようにしたものである。
【００８０】
また、請求項２０の発明によれば、不揮発性メモリには、高速かつ、待機時の電源消費がない不揮発性メモリを用いることによって、良好な処理が行われるようにするものである。
【００８１】
また、請求項２１の発明によれば、不揮発性メモリはマグネティック・ランダム・アクセス・メモリであることによって、本発明を実現可能とするものである。
【００８２】
従って請求項２２の発明によれば、停止時に設定された位置から所定量の情報を不揮発性メモリのバッファメモリに記憶して電源の供給を停止し、次回の情報処理を行う際には電源の投入後にバッファメモリに記憶された情報から処理を行うようにしたことによって、消費電力の増加を生じることなく情報の再生再開時の高速化を行うことができるものである。
【００８３】
また、請求項２３の発明によれば、情報処理装置は復帰処理モードと先頭処理モードを有し、２つの処理モードは使用者により設定可能であることによって、使用者の設定により所望の処理再開を行うことができるものである。
【００８４】
また、請求項２４の発明によれば、情報処理装置が復帰処理モードであるときは、次回に処理される所定量の情報は、停止前に最後に処理された情報と連続することによって、復帰処理モードでの情報の処理再開時の高速化を行うことができるものである。
【００８５】
また、請求項２５の発明によれば、情報処理装置が復帰処理モードであるときは、次回に処理される所定量の情報は、停止前に最後に処理された情報と連続することによって、復帰処理モードでの情報の処理再開時の高速化を行うことができるものである。
【００８６】
また、請求項２６の発明によれば、停止中に記録媒体が交換されたときは、情報処理装置が再度動作するときに、バッファメモリが記憶する次回に処理される所定量の情報から処理を行わないようになすことによって、誤った情報の再生が行われることのないようにしたものである。
【００８７】
また、請求項２７の発明によれば、不揮発性メモリには、高速かつ、待機時の電源消費がない不揮発性メモリを用いることによって、良好な処理が行われるようにするものである。
【００８８】
また、請求項２８の発明によれば、不揮発性メモリはマグネティック・ランダム・アクセス・メモリであることによって、本発明を実現可能とするものである。
【００８９】
これによって、従来の装置及び方法では、再生再開時の高速化を行おうとすると、装置の低消費電力化を実現することができなかったものを、本発明によればこれらの問題点を容易に解消することができるものである。
【図面の簡単な説明】
【図１】本発明を適用した情報再生装置の一実施形態の構成を示すブロック図である。
【図２】不揮発性メモリ８に書き込まれるデータ領域の構成を示すための線図である。
【図３】その説明のためのフローチャート図である。
【図４】その説明のためのフローチャート図である。
【図５】その説明のためのフローチャート図である。
【符号の説明】
１…光磁気ディスク、２…スピンドルモータ、３…光学ヘッド、４…サーボ回路、５…ＲＦアンプ、６…デコーダ、７…システムコントローラ、８…不揮発性メモリ（ＭＲＡＭ）、９…メモリコントローラ、１０…コーデックデコーダ、１１…表示部、１２…操作部、１３…Ｄ／Ａ変換器、１４…出力端子
【図１】
2004265534.tif 000007
【図２】
2004265534.tif 000008
【図３】
2004265534.tif 000009
【図４】
2004265534.tif 000010
【図５】
2004265534.tif 000011